【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
インクを吐出するための複数の記録素子が所定方向に配列された記録素子列を有する記録ヘッドと、
前記記録ヘッドを記録媒体上に所定領域に対して前記所定方向と交差する交差方向に相対的に走査させる第１の走査と、前記記録ヘッドを前記所定領域に対して前記交差方向と同じ方向に相対的に走査させる第２の走査とを少なくとも含む複数回の走査を行う走査手段と、
前記走査手段による前記第１の走査で用いられる第１の記録データと前記走査手段による前記第２の走査で用いられる第２の記録データとを取得する取得手段と、
（ｉ）前記複数の記録素子のうちの前記第１の走査において前記所定領域に対応する複数の第１の記録素子に関し、前記複数の第１の記録素子を前記所定方向に分割して得られる複数の第１の駆動ブロックが互いに異なるタイミングで駆動されるように、前記複数の第１の記録素子を駆動させ、且つ、（ｉｉ）前記複数の記録素子のうちの前記第２の走査において前記所定領域に対応する複数の第２の記録素子に関し、前記複数の第２の記録素子を前記所定方向に分割して得られる複数の第２の駆動ブロックが互いに異なるタイミングで駆動されるように、前記複数の第２の記録素子を駆動させる駆動手段と、
（ｉ）前記走査手段による前記第１の走査において前記取得手段によって取得された前記第１の記録データに基づいて前記駆動手段によって前記複数の第１の記録素子を駆動することにより前記所定領域にインクを吐出し、且つ、（ｉｉ）前記走査手段による前記第２の走査において前記取得手段によって取得された前記第２の記録データに基づいて前記駆動手段によって前記複数の第２の記録素子を駆動することにより前記所定領域にインクを吐出するように、インクの吐出を制御する制御手段とを有し、
前記駆動手段による前記複数の第２の駆動ブロックの駆動順序は、前記駆動手段による前記複数の第１の駆動ブロックの駆動順序と異なることを特徴とする記録装置。
【請求項２】
前記駆動手段による前記複数の第２の駆動ブロックの駆動順序は、前記駆動手段による前記複数の第１の駆動ブロックの駆動順序をオフセットした順序と異なることを特徴とする請求項１に記載の記録装置。
【請求項３】
インクを吐出するための複数の記録素子が所定方向に配列された記録素子列を有する記録ヘッドと、
前記記録ヘッドを記録媒体上に所定領域に対して前記所定方向と交差する交差方向に相対的に走査させる第１の走査と、前記記録ヘッドを前記所定領域に対して前記交差方向と反対の方向に相対的に走査させる第２の走査とを少なくとも含む複数回の走査を行う走査手段と、
前記走査手段による前記第１の走査で用いられる第１の記録データと前記走査手段による前記第２の走査で用いられる第２の記録データとを取得する取得手段と、
（ｉ）前記複数の記録素子のうちの前記第１の走査において前記所定領域に対応する複数の第１の記録素子に関し、前記複数の第１の記録素子を前記所定方向に分割して得られる複数の第１の駆動ブロックが互いに異なるタイミングで駆動されるように、前記複数の第１の記録素子を駆動させ、且つ、（ｉｉ）前記複数の記録素子のうちの前記第２の走査において前記所定領域に対応する複数の第２の記録素子に関し、前記複数の第２の記録素子を前記所定方向に分割して得られる複数の第２の駆動ブロックが互いに異なるタイミングで駆動されるように、前記複数の第２の記録素子を駆動させる駆動手段と、
（ｉ）前記走査手段による前記第１の走査において前記取得手段によって取得された前記第１の記録データに基づいて前記駆動手段によって前記複数の第１の記録素子を駆動することにより前記所定領域にインクを吐出し、且つ、（ｉｉ）前記走査手段による前記第２の走査において前記取得手段によって取得された前記第２の記録データに基づいて前記駆動手段によって前記複数の第２の記録素子を駆動することにより前記所定領域にインクを吐出するように、インクの吐出を制御する制御手段とを有し、
前記駆動手段による前記複数の第２の駆動ブロックの駆動順序は、前記駆動手段による前記複数の第１の駆動ブロックの駆動順序の逆順と異なることを特徴とする記録装置。
【請求項４】
前記駆動手段による前記複数の第２の駆動ブロックの駆動順序は、前記駆動手段による前記複数の第１の駆動ブロックの駆動順序をオフセットした順序の逆順と異なることを特徴とする請求項３に記載の記録装置。
【請求項５】
前記第１の記録データと前記第２の記録データは、少なくとも１つの同じ画素に対してインクの吐出を定めていることを特徴とする請求項１乃至４のいずれか１項に記載の記録装置。
【請求項６】
前記所定領域に記録する画像に対応する多値データに基づいて、前記第１の記録データと前記第２の記録データを生成する生成手段を更に有することを特徴とする請求項１乃至５のいずれか１項に記載の記録装置。
【請求項７】
前記生成手段は、
前記所定領域に記録する画像に対応する多値データを分割することにより、前記第１の走査に対応する第１の多値データと前記第２の走査に対応する第２の多値データとを生成する第１の生成手段と、
前記第１の生成手段によって生成された前記第１の多値データを量子化することにより前記第１の記録データを生成し、且つ、前記第１の生成手段によって生成された前記第２の多値データを量子化することにより前記第２の記録データを生成する第２の生成手段と、
からなることを特徴とする請求項６に記載の記録装置。
【請求項８】
前記第２の生成手段は、誤差拡散処理によって前記第１の多値データと前記第２の多値データを量子化して前記第１の記録データと前記第２の記録データをそれぞれ生成することを特徴とする請求項７に記載の記録装置。
【請求項９】
前記生成手段は、
前記所定領域に記録する画像に対応する多値データを量子化することにより、前記所定領域に記録する画像に対応する量子化データを生成する第１の生成手段と、
前記第１の生成手段によって生成された前記量子化データを分割することにより、前記第１の記録データと前記第２の記録データを生成する第２の生成手段と、
からなることを特徴とする請求項６に記載の記録装置。
【請求項１０】
前記第１の生成手段によって生成された前記量子化データは、３値以上のデータであることを特徴とする請求項９に記載の記録装置。
【請求項１１】
（ｉ）１つの画素に対応する前記量子化データが示す値が第１の値である場合、当該１つの画素に対して前記第１の記録データと前記第２の記録データの両方がインクの非吐出を定め、（ｉｉ）１つの画素に対応する前記量子化データが示す値が前記第１の値と異なる第２の値である場合、当該１つの画素に対して前記第１の記録データがインクの吐出を定め、且つ、前記第２の記録データがインクの非吐出を定め、（ｉｉｉ）１つの画素に対応する前記量子化データが示す値が前記第１の値及び前記第２の値と異なる第３の値である場合、当該１つの画素に対して前記第１の記録データと前記第２の記録データの両方がインクの吐出を定めるように、前記量子化データと、前記第１の記録データ及び前記第２の記録データとの対応関係を規定するテーブルを記憶するメモリを更に有し、
前記第２の生成手段は、前記メモリに記憶された前記テーブルを用いて前記第１の記録データと前記第２の記録データを生成することを特徴とする請求項１０に記載の記録装置。
【請求項１２】
インクを吐出するための複数の記録素子が所定方向に配列された記録素子列を有する記録ヘッドを用いて記録を行う記録方法であって、
前記記録ヘッドを記録媒体上に所定領域に対して前記所定方向と交差する交差方向に相対的に走査させる第１の走査と、前記記録ヘッドを前記所定領域に対して前記交差方向と同じ方向に相対的に走査させる第２の走査とを少なくとも含む複数回の走査を行い、
前記第１の走査で用いられる第１の記録データと前記第２の走査で用いられる第２の記録データとを取得し、
（ｉ）前記複数の記録素子のうちの前記第１の走査において前記所定領域に対応する複数の第１の記録素子に関し、前記複数の第１の記録素子を前記所定方向に分割して得られる複数の第１の駆動ブロックが互いに異なるタイミングで駆動されるように、前記複数の第１の記録素子を駆動させ、且つ、（ｉｉ）前記複数の記録素子のうちの前記第２の走査において前記所定領域に対応する複数の第２の記録素子に関し、前記複数の第２の記録素子を前記所定方向に分割して得られる複数の第２の駆動ブロックが互いに異なるタイミングで駆動されるように、前記複数の第２の記録素子を駆動させ、
（ｉ）前記第１の走査において、取得された前記第１の記録データに基づいて前記複数の第１の記録素子を駆動することにより前記所定領域にインクを吐出し、且つ、（ｉｉ）前記第２の走査において、取得された前記第２の記録データに基づいて前記複数の第２の記録素子を駆動することにより前記所定領域にインクを吐出するように、インクの吐出を制御し、
前記複数の第２の駆動ブロックの駆動順序は、前記複数の第１の駆動ブロックの駆動順序と異なることを特徴とする記録方法。
【請求項１３】
前記複数の第２の駆動ブロックの駆動順序は、前記複数の第１の駆動ブロックの駆動順序をオフセットした順序と異なることを特徴とする請求項１２に記載の記録方法。
【請求項１４】
インクを吐出するための複数の記録素子が所定方向に配列された記録素子列を有する記録ヘッドを用いて記録を行う記録方法であって、
前記記録ヘッドを記録媒体上に所定領域に対して前記所定方向と交差する交差方向に相対的に走査させる第１の走査と、前記記録ヘッドを前記所定領域に対して前記交差方向と反対の方向に相対的に走査させる第２の走査とを少なくとも含む複数回の走査を行い、
前記第１の走査で用いられる第１の記録データと前記第２の走査で用いられる第２の記録データとを取得し、
（ｉ）前記複数の記録素子のうちの前記第１の走査において前記所定領域に対応する複数の第１の記録素子に関し、前記複数の第１の記録素子を前記所定方向に分割して得られる複数の第１の駆動ブロックが互いに異なるタイミングで駆動されるように、前記複数の第１の記録素子を駆動させ、且つ、（ｉｉ）前記複数の記録素子のうちの前記第２の走査において前記所定領域に対応する複数の第２の記録素子に関し、前記複数の第２の記録素子を前記所定方向に分割して得られる複数の第２の駆動ブロックが互いに異なるタイミングで駆動されるように、前記複数の第２の記録素子を駆動させ、
（ｉ）前記第１の走査において、取得された前記第１の記録データに基づいて前記複数の第１の記録素子を駆動することにより前記所定領域にインクを吐出し、且つ、（ｉｉ）前記第２の走査において、取得された前記第２の記録データに基づいて前記複数の第２の記録素子を駆動することにより前記所定領域にインクを吐出するように、インクの吐出を制御し、
前記複数の第２の駆動ブロックの駆動順序は、前記複数の第１の駆動ブロックの駆動順序の逆順と異なることを特徴とする記録方法。
【請求項１５】
前記複数の第２の駆動ブロックの駆動順序は、前記複数の第１の駆動ブロックの駆動順序をオフセットした順序の逆順と異なることを特徴とする請求項１４に記載の記録方法。
【請求項１６】
前記第１の記録データと前記第２の記録データは、少なくとも１つの同じ画素に対してインクの吐出を定めていることを特徴とする請求項１２乃至１５のいずれか１項に記載の記録方法。
【手続補正２】
【補正対象書類名】明細書
【補正対象項目名】発明の名称
【補正方法】変更
【補正の内容】
【発明の名称】記録装置及びその記録方法
【手続補正３】
【補正対象書類名】明細書
【補正対象項目名】０００１
【補正方法】変更
【補正の内容】
【０００１】
本発明は記録装置及びその記録方法に関し、特に、インクジェット記録ヘッドの複数の記録要素を時分割駆動してマルチパス記録を行う記録装置及びその記録方法に関する。
【手続補正４】
【補正対象書類名】明細書
【補正対象項目名】００１３
【補正方法】変更
【補正の内容】
【００１３】
本発明は上記従来例に鑑みてなされたもので、画素あたりに平均１ドット以上を記録する場合においても記録走査間のインク吐出位置ずれが発生したときに現れる濃度むらの抑制が可能な記録装置及びその記録方法を提供することを目的とする。
【手続補正５】
【補正対象書類名】明細書
【補正対象項目名】００１５
【補正方法】変更
【補正の内容】
【００１５】
即ち、インクを吐出するための複数の記録素子が所定方向に配列された記録素子列を有する記録ヘッドと、前記記録ヘッドを記録媒体上に所定領域に対して前記所定方向と交差する交差方向に相対的に走査させる第１の走査と、前記記録ヘッドを前記所定領域に対して前記交差方向と同じ方向に相対的に走査させる第２の走査とを少なくとも含む複数回の走査を行う走査手段と、前記走査手段による前記第１の走査で用いられる第１の記録データと前記走査手段による前記第２の走査で用いられる第２の記録データとを取得する取得手段と、（ｉ）前記複数の記録素子のうちの前記第１の走査において前記所定領域に対応する複数の第１の記録素子に関し、前記複数の第１の記録素子を前記所定方向に分割して得られる複数の第１の駆動ブロックが互いに異なるタイミングで駆動されるように、前記複数の第１の記録素子を駆動させ、且つ、（ｉｉ）前記複数の記録素子のうちの前記第２の走査において前記所定領域に対応する複数の第２の記録素子に関し、前記複数の第２の記録素子を前記所定方向に分割して得られる複数の第２の駆動ブロックが互いに異なるタイミングで駆動されるように、前記複数の第２の記録素子を駆動させる駆動手段と、（ｉ）前記走査手段による前記第１の走査において前記取得手段によって取得された前記第１の記録データに基づいて前記駆動手段によって前記複数の第１の記録素子を駆動することにより前記所定領域にインクを吐出し、且つ、（ｉｉ）前記走査手段による前記第２の走査において前記取得手段によって取得された前記第２の記録データに基づいて前記駆動手段によって前記複数の第２の記録素子を駆動することにより前記所定領域にインクを吐出するように、インクの吐出を制御する制御手段とを有し、前記駆動手段による前記複数の第２の駆動ブロックの駆動順序は、前記駆動手段による前記複数の第１の駆動ブロックの駆動順序と異なることを特徴とする。
また、インクを吐出するための複数の記録素子が所定方向に配列された記録素子列を有する記録ヘッドと、前記記録ヘッドを記録媒体上に所定領域に対して前記所定方向と交差する交差方向に相対的に走査させる第１の走査と、前記記録ヘッドを前記所定領域に対して前記交差方向と反対の方向に相対的に走査させる第２の走査とを少なくとも含む複数回の走査を行う走査手段と、前記走査手段による前記第１の走査で用いられる第１の記録データと前記走査手段による前記第２の走査で用いられる第２の記録データとを取得する取得手段と、（ｉ）前記複数の記録素子のうちの前記第１の走査において前記所定領域に対応する複数の第１の記録素子に関し、前記複数の第１の記録素子を前記所定方向に分割して得られる複数の第１の駆動ブロックが互いに異なるタイミングで駆動されるように、前記複数の第１の記録素子を駆動させ、且つ、（ｉｉ）前記複数の記録素子のうちの前記第２の走査において前記所定領域に対応する複数の第２の記録素子に関し、前記複数の第２の記録素子を前記所定方向に分割して得られる複数の第２の駆動ブロックが互いに異なるタイミングで駆動されるように、前記複数の第２の記録素子を駆動させる駆動手段と、（ｉ）前記走査手段による前記第１の走査において前記取得手段によって取得された前記第１の記録データに基づいて前記駆動手段によって前記複数の第１の記録素子を駆動することにより前記所定領域にインクを吐出し、且つ、（ｉｉ）前記走査手段による前記第２の走査において前記取得手段によって取得された前記第２の記録データに基づいて前記駆動手段によって前記複数の第２の記録素子を駆動することにより前記所定領域にインクを吐出するように、インクの吐出を制御する制御手段とを有し、前記駆動手段による前記複数の第２の駆動ブロックの駆動順序は、前記駆動手段による前記複数の第１の駆動ブロックの駆動順序の逆順と異なることを特徴としても良い。
【手続補正６】
【補正対象書類名】明細書
【補正対象項目名】００１６
【補正方法】変更
【補正の内容】
【００１６】
また本発明を他の側面から見れば、インクを吐出するための複数の記録素子が所定方向に配列された記録素子列を有する記録ヘッドを用いて記録を行う記録方法であって、前記記録ヘッドを記録媒体上に所定領域に対して前記所定方向と交差する交差方向に相対的に走査させる第１の走査と、前記記録ヘッドを前記所定領域に対して前記交差方向と同じ方向に相対的に走査させる第２の走査とを少なくとも含む複数回の走査を行い、前記第１の走査で用いられる第１の記録データと前記第２の走査で用いられる第２の記録データとを取得し、（ｉ）前記複数の記録素子のうちの前記第１の走査において前記所定領域に対応する複数の第１の記録素子に関し、前記複数の第１の記録素子を前記所定方向に分割して得られる複数の第１の駆動ブロックが互いに異なるタイミングで駆動されるように、前記複数の第１の記録素子を駆動させ、且つ、（ｉｉ）前記複数の記録素子のうちの前記第２の走査において前記所定領域に対応する複数の第２の記録素子に関し、前記複数の第２の記録素子を前記所定方向に分割して得られる複数の第２の駆動ブロックが互いに異なるタイミングで駆動されるように、前記複数の第２の記録素子を駆動させ、（ｉ）前記第１の走査において、取得された前記第１の記録データに基づいて前記複数の第１の記録素子を駆動することにより前記所定領域にインクを吐出し、且つ、（ｉｉ）前記第２の走査において、取得された前記第２の記録データに基づいて前記複数の第２の記録素子を駆動することにより前記所定領域にインクを吐出するように、インクの吐出を制御し、前記複数の第２の駆動ブロックの駆動順序は、前記複数の第１の駆動ブロックの駆動順序と異なることを特徴とする記録方法を備える。
さらに、インクを吐出するための複数の記録素子が所定方向に配列された記録素子列を有する記録ヘッドを用いて記録を行う記録方法であって、前記記録ヘッドを記録媒体上に所定領域に対して前記所定方向と交差する交差方向に相対的に走査させる第１の走査と、前記記録ヘッドを前記所定領域に対して前記交差方向と反対の方向に相対的に走査させる第２の走査とを少なくとも含む複数回の走査を行い、前記第１の走査で用いられる第１の記録データと前記第２の走査で用いられる第２の記録データとを取得し、（ｉ）前記複数の記録素子のうちの前記第１の走査において前記所定領域に対応する複数の第１の記録素子に関し、前記複数の第１の記録素子を前記所定方向に分割して得られる複数の第１の駆動ブロックが互いに異なるタイミングで駆動されるように、前記複数の第１の記録素子を駆動させ、且つ、（ｉｉ）前記複数の記録素子のうちの前記第２の走査において前記所定領域に対応する複数の第２の記録素子に関し、前記複数の第２の記録素子を前記所定方向に分割して得られる複数の第２の駆動ブロックが互いに異なるタイミングで駆動されるように、前記複数の第２の記録素子を駆動させ、（ｉ）前記第１の走査において、取得された前記第１の記録データに基づいて前記複数の第１の記録素子を駆動することにより前記所定領域にインクを吐出し、且つ、（ｉｉ）前記第２の走査において、取得された前記第２の記録データに基づいて前記複数の第２の記録素子を駆動することにより前記所定領域にインクを吐出するように、インクの吐出を制御し、前記複数の第２の駆動ブロックの駆動順序は、前記複数の第１の駆動ブロックの駆動順序の逆順と異なることを特徴とする記録方法を備えても良い。